(57)【要約】【課題】インフレータ収容領域を有し、収納状態に畳まれるサイドエアバッグの収納寸法を、長さが短くかつ径寸法も小さくすることが可能な車両用サイドエアバッグモジュールの製造方法及び車両用サイドエアバッグ装置を提供する。【解決手段】サイドエアバッグ２には、車両前後方向後方側にインフレータを収容するインフレータ収容領域Ｑが形成され、サイドエアバッグを車両後方から車両前方へ横断する折り線Ｆによって、折り線よりも上方の上部領域Ｒを、折り線よりも下方の下部領域Ｓに重ねて畳んで、サイドエアバッグに、上方が先細り下方が末広がりの錐体形状に折り畳むための折り畳み領域Ｔを設定する畳み工程と、折り畳み領域の上縁となる折り線上に設定される、少なくとも一箇所の折り畳み中心Ｕを、折り畳み始めの基準として、折り畳み領域をインフレータ収容領域に向かって折り畳んで、折り畳み部分を形成する折り畳み工程とを含む。【選択図】図５
2016035746.tif 000002
【特許請求の範囲】
【請求項１】
内部に収容されたインフレータから噴出されるインフレータガスでシートバックからシートの側方を通って車両前方に向かって展開膨張するサイドエアバッグを有する車両用サイドエアバッグモジュールの製造方法であって、
上記サイドエアバッグには、車両前後方向後方側に上記インフレータを収容するインフレータ収容領域が形成され、
上記サイドエアバッグを車両後方から車両前方へ横断する折り線によって、該折り線よりも上方の上部領域を、該折り線よりも下方の下部領域に重ねて畳んで、該サイドエアバッグに、上方が先細り下方が末広がりの錐体形状に折り畳むための折り畳み領域を設定する畳み工程と、
上記折り畳み領域の上縁となる上記折り線上に設定される、少なくとも一箇所の折り畳み中心を、折り畳み始めの基準として、該折り畳み領域を上記インフレータ収容領域に向かって折り畳んで、折り畳み部分を形成する折り畳み工程とを含むことを特徴とする車両用サイドエアバッグモジュールの製造方法。
【請求項２】
内部に収容されたインフレータから噴出されるインフレータガスでシートバックからシートの側方を通って車両前方に向かって展開膨張するサイドエアバッグを有する車両用サイドエアバッグモジュールの製造方法であって、
上記サイドエアバッグには、車両前後方向後方側に上記インフレータを収容するインフレータ収容領域が形成され、
上記サイドエアバッグを車両後方から車両前方へ横断する折り線によって、該折り線よりも上方の上部領域を、該折り線よりも下方の下部領域に重ねて畳んで、該サイドエアバッグに、上方が先細り下方が末広がりの錐体形状に折り畳むための折り畳み領域を設定する畳み工程と、
上記上部領域が存在していた領域に設定される、少なくとも一箇所の折り畳み中心を基準として、該折り畳み領域を上記インフレータ収容領域に向かって折り畳んで、折り畳み部分を形成する折り畳み工程とを含むことを特徴とする車両用サイドエアバッグモジュールの製造方法。
【請求項３】
前記サイドエアバッグは、更に、前記インフレータ収容領域を有するリアチャンバまたはインナーバッグを備え、
該リアチャンバまたは該インナーバッグの、車両上下方向上方には、前記インフレータからのインフレータガスを該リアチャンバまたは該インナーバッグから上記サイドエアバッグ内に導入するベントホールが設けられ、
前記折り線は、前記ベントホールの、車両上下方向上方に設けられることを特徴とする請求項１または２に記載の車両用サイドエアバッグモジュールの製造方法。
【請求項４】
前記折り畳み部分は、ロール巻きで形成されることを特徴とする請求項１〜３いずれかの項に記載の車両用サイドエアバッグモジュールの製造方法。
【請求項５】
前記ロール巻きで形成される前記折り畳み部分が、前記インフレータ収容領域に対し、前記ロール巻き方向と逆方向に反転されて折り返される反転折り返し工程を含むことを特徴とする請求項４に記載の車両用サイドエアバッグモジュールの製造方法。
【請求項６】
前記ロール巻きで形成される前記折り畳み部分が、前記インフレータ収容領域に対し、前記ロール巻き方向と同方向に折り返される折り返し工程を含むことを特徴とする請求項４に記載の車両用サイドエアバッグモジュールの製造方法。
【請求項７】
前記折り畳み部分は、蛇腹折りで形成されることを特徴とする請求項１〜３いずれかの項に記載の車両用サイドエアバッグモジュールの製造方法。
【請求項８】
前記蛇腹折りで形成される前記折り畳み部分全体に対し、車両前後方向寸法を半分の寸法に折り畳む追加の折り畳み工程を含むことを特徴とする請求項７に記載の車両用サイドエアバッグモジュールの製造方法。
【請求項９】
前記畳み工程では、前記上部領域を前記下部領域に対して重ね折りする、または該上部領域を該下部領域に対して袋折りすることを特徴とする請求項１〜８いずれかの項に記載の車両用サイドエアバッグモジュールの製造方法。
【請求項１０】
前記折り線は、上下高さ方向で、前記インフレータ収容領域よりも高い位置に設定されることを特徴とする請求項１〜９いずれかの項に記載の車両用サイドエアバッグモジュールの製造方法。
【請求項１１】
前記折り線は、車両後方から前方に向かって斜めに傾斜して設定されることを特徴とする請求項１〜１０いずれかの項に記載の車両用サイドエアバッグモジュールの製造方法。
【請求項１２】
請求項１〜１１いずれかの項に記載の車両用サイドエアバッグモジュールの製造方法によって製造される前記サイドエアバッグモジュールが前記シートに設けられ、インフレータガスで前記サイドエアバッグが展開膨張して、該シートに着座している乗員の車幅方向へ向かう移動を規制することを特徴とする車両用サイドエアバッグ装置。
【請求項１３】
請求項１〜１１いずれかの項に記載の車両用サイドエアバッグモジュールの製造方法によって製造される前記サイドエアバッグモジュールが前記シートに設けられ、インフレータガスで前記サイドエアバッグが展開膨張して、車両側方からの衝突に対して、該シートに着座している乗員を保護することを特徴とする車両用サイドエアバッグ装置。
【発明の詳細な説明】
【技術分野】
【０００１】
本発明は、インフレータを収容するインフレータ収容領域を有し、収納状態に畳まれるサイドエアバッグの収納寸法を、長さが短くかつ径寸法も小さくすることが可能な車両用サイドエアバッグモジュールの製造方法及び車両用サイドエアバッグ装置に関する。
【背景技術】
【０００２】
内部に収容されたインフレータから噴出されるインフレータガスでシートバックからシートの側方に向かって展開膨張されて、シートに着座している乗員の車幅方向へ向かう移動を規制するサイドエアバッグを有する車両用サイドエアバッグモジュールの製造方法として、特許文献１及び２が知られている。【０００３】
特許文献１の「側突用エアバッグ装置」は、円滑なエアバッグの膨張を妨げることなく、シートの背もたれ部における上端付近に、折り畳まれたエアバッグを配置させることができる側突用エアバッグ装置を提供することを課題とし、側突用エアバッグ装置は、シートの背もたれ部における上部側に、折り畳まれたエアバッグを配設させる。エアバッグは、後縁側における上下方向の複数箇所をシートフレームに取付固定させて、膨張用ガスの上流側部位とした下部室と、下部室における前部側の上方に配置される上部室と、を備えて、膨張時に前方側へ突出するとともに上方へ展開するように、折り畳まれて収納されている。エアバッグは、後縁側の下部室の上部側を中心とした放射状に折目を設けて、上部室と下部室とを、下部室の後縁側に、扇状に、折り畳んで収納されている。特許文献１では、折目の中心は、展開して平らに広げた状態のエアバッグの外形輪郭上に設定されている。【０００４】
特許文献２の「サイドエアバッグ装置」は、エアバッグの折畳作業を簡便に行なえ、かつ、膨張当初からエアバッグを乗員の側方に素早く配置させ易いサイドエアバッグ装置を提供することを課題とし、サイドエアバッグ装置は、折り畳まれたエアバッグが、シートバックの車外側の側面に、展開膨張可能に収納される。エアバッグは、展開膨張時の膨張用ガスの上流側となる基部と、展開膨張時の基部前方に配置される本体部と、を備える。本体部は、展開膨張時の基部前方に配置される下膨張部と、下膨張部上部に連通する上膨張部と、を備える。エアバッグは、平らに展開した状態で、上膨張部を下膨張部内に折り込み、基部上方位置を中心とした放射状の折目を設けて、上縁側から基部側へ接近するように、車内側へ巻く内ロール折りして、折り畳まれて収納されている。特許文献２では、折目の中心は、展開して平らに広げた状態のエアバッグの外形輪郭の外方に設定されている。
【先行技術文献】
【特許文献】
【０００５】
【特許文献１】特開平１１−１８０２４３号公報
【特許文献２】特開２００１−１７１４６８号公報
【発明の概要】
【発明が解決しようとする課題】
【０００６】
特許文献１では、収納状態とするためにエアバッグを折り畳むときの折目の中心が、展開状態に平らに広げたエアバッグの外形輪郭上に設定されていた。このため、エアバッグの外形寸法が大きいと、折目で畳み終えたときの外形形態は、エアバッグの外周縁の広がり、すなわちエアバッグの大きさそのものの影響を受け、長大な長さ寸法の錐体形状となってしまって、エアバッグの収納時の大きさをコンパクトなものにすることができないという課題があった。【０００７】
特許文献２では、収納状態とするためにエアバッグを折り畳むときの折目の中心が、展開状態に平らに広げたエアバッグの外形輪郭の外方に設定されていた。このため、折目で畳み終えたときの外形形態の様子は、特許文献１と同様であって、すなわちエアバッグの大きさそのものの寸法が現れて、長大な長さ寸法の錐体形状となってしまい、エアバッグの収納時の大きさをコンパクトなものにすることはできなかった。【０００８】
さらに、特許文献２では、折目の中心がエアバッグの外形輪郭よりも外方に設定される分、エアバッグのロール折りにゆとりないし緩みがあるものであり、ロール折りの径寸法も大きなものとなってしまうという課題があった。【０００９】
本発明は上記従来の課題に鑑みて創案されたものであって、インフレータを収容するインフレータ収容領域を有し、収納状態に畳まれるサイドエアバッグの収納寸法を、長さが短くかつ径寸法も小さくすることが可能な車両用サイドエアバッグモジュールの製造方法及び車両用サイドエアバッグ装置を提供することを目的とする。
【課題を解決するための手段】
【００１０】
本発明にかかる車両用サイドエアバッグモジュールの製造方法は、内部に収容されたインフレータから噴出されるインフレータガスでシートバックからシートの側方を通って車両前方に向かって展開膨張するサイドエアバッグを有する車両用サイドエアバッグモジュールの製造方法であって、上記サイドエアバッグには、車両前後方向後方側に上記インフレータを収容するインフレータ収容領域が形成され、上記サイドエアバッグを車両後方から車両前方へ横断する折り線によって、該折り線よりも上方の上部領域を、該折り線よりも下方の下部領域に重ねて畳んで、該サイドエアバッグに、上方が先細り下方が末広がりの錐体形状に折り畳むための折り畳み領域を設定する畳み工程と、上記折り畳み領域の上縁となる上記折り線上に設定される、少なくとも一箇所の折り畳み中心を、折り畳み始めの基準として、該折り畳み領域を上記インフレータ収容領域に向かって折り畳んで、折り畳み部分を形成する折り畳み工程とを含むことを特徴とする。【００１１】
本発明にかかる車両用サイドエアバッグモジュールの製造方法は、内部に収容されたインフレータから噴出されるインフレータガスでシートバックからシートの側方を通って車両前方に向かって展開膨張するサイドエアバッグを有する車両用サイドエアバッグモジュールの製造方法であって、上記サイドエアバッグには、車両前後方向後方側に上記インフレータを収容するインフレータ収容領域が形成され、上記サイドエアバッグを車両後方から車両前方へ横断する折り線によって、該折り線よりも上方の上部領域を、該折り線よりも下方の下部領域に重ねて畳んで、該サイドエアバッグに、上方が先細り下方が末広がりの錐体形状に折り畳むための折り畳み領域を設定する畳み工程と、上記上部領域が存在していた領域に設定される、少なくとも一箇所の折り畳み中心を基準として、該折り畳み領域を上記インフレータ収容領域に向かって折り畳んで、折り畳み部分を形成する折り畳み工程とを含むことを特徴とする。【００１２】
前記サイドエアバッグは、更に、前記インフレータ収容領域を有するリアチャンバまたはインナーバッグを備え、該リアチャンバまたは該インナーバッグの、車両上下方向上方には、前記インフレータからのインフレータガスを該リアチャンバまたは該インナーバッグから上記サイドエアバッグ内に導入するベントホールが設けられ、前記折り線は、前記ベントホールの、車両上下方向上方に設けられることが望ましい。【００１３】
前記折り畳み部分は、ロール巻きで形成されることが好ましい。前記ロール巻きで形成される前記折り畳み部分が、前記インフレータ収容領域に対し、ロール巻き方向と逆方向に反転されて折り返される反転折り返し工程を含む、あるいは前記ロール巻きで形成される前記折り畳み部分が、前記インフレータ収容領域に対し、ロール巻き方向と同方向に折り返される折り返し工程を含むことが望ましい。【００１４】
前記折り畳み部分は、蛇腹折りで形成されることが好ましい。前記蛇腹折りで形成される前記折り畳み部分全体に対し、車両前後方向寸法を半分の寸法に折り畳む追加の折り畳み工程を含むことが望ましい。【００１５】
前記畳み工程では、前記上部領域を前記下部領域に対して重ね折りする、または該上部領域を該下部領域に対して袋折りすることが好ましい。【００１６】
前記折り線は、上下高さ方向で、前記インフレータ収容領域よりも高い位置に設定されることが望ましい。前記折り線は、車両後方から前方に向かって斜めに傾斜して設定してもよい。【００１７】
本発明にかかる車両用サイドエアバッグ装置は、上記車両用サイドエアバッグモジュールの製造方法によって製造される前記サイドエアバッグモジュールが前記シートに設けられ、インフレータガスで前記サイドエアバッグが展開膨張して、該シートに着座している乗員の車幅方向へ向かう移動を規制することを特徴とする。【００１８】
本発明にかかる車両用サイドエアバッグ装置は、上記車両用サイドエアバッグモジュールの製造方法によって製造される前記サイドエアバッグモジュールが前記シートに設けられ、インフレータガスで前記サイドエアバッグが展開膨張して、車両側方からの衝突に対して、該シートに着座している乗員を保護することを特徴とする。
【発明の効果】
【００１９】
本発明にかかる車両用サイドエアバッグモジュールの製造方法及び車両用サイドエアバッグ装置にあっては、インフレータを収容するインフレータ収容領域を有し、収納状態に畳まれるサイドエアバッグの収納寸法を、長さが短くかつ径寸法も小さくすることができる。また、折り畳み回数を減らすことができるため、折り畳み工数を削減できると共に、展開時においては、展開時間の短縮化を図ることができ、展開性能を向上することができる。
【図面の簡単な説明】
【００２０】
【図１】本発明に係る車両用サイドエアバッグ装置及び車両用サイドエアバッグモジュールの製造方法で作成される車両用サイドエアバッグモジュールのサイドエアバッグが車室内で展開膨張した状態を上から見下ろした平面図である。
【図２】図１に示したサイドエアバッグを備える本発明に係る車両用サイドエアバッグ装置及び車両用サイドエアバッグモジュールの製造方法の好適な一実施形態を示す、組立手順の第１段階を説明する説明図である。
【図３】組立手順の第２段階を説明する説明図である。
【図４】組立手順の第３段階（畳み工程）を説明する説明図である。
【図５】組立手順の第４段階（巻き取り工程）を説明する説明図である。
【図６】組立手順の第４段階によって作成される車両用サイドエアバッグモジュールのロール部分を示す正面図である。
【図７】図６中、Ａ−Ａ線矢視断面図である。
【図８】組立手順の第５段階（反転折り返し工程）を説明する説明図である。
【図９】組立手順の第５段階によって得られる車両用サイドエアバッグモジュールの外形形態を示す正面図である。
【図１０】図９中、Ｂ−Ｂ線矢視断面図である。
【図１１】組立手順の第５段階後の畳み操作を説明する説明図である。
【図１２】上記実施形態の変形例を示す、図７に対応する断面図である。
【図１３】上記実施形態の変形例を示す、図８に対応する説明図である。
【図１４】上記実施形態の変形例を示す、図１０に対応する断面図である。
【図１５】上記実施形態の他の変形例を示す、図４に対応する説明図である。
【図１６】図１５中、Ｃ方向矢視図である。
【図１７】本発明に係る車両用サイドエアバッグ装置及び車両用サイドエアバッグモジュールの製造方法の変形例を説明する説明図である。
【発明を実施するための形態】
【００２１】
以下に、本発明にかかる車両用サイドエアバッグモジュールの製造方法及び車両用サイドエアバッグ装置の好適な実施形態を、添付図面を参照して詳細に説明する。図１は、本実施形態にかかる車両用サイドエアバッグ装置及び車両用サイドエアバッグモジュールのサイドエアバッグが車室内で展開膨張した状態を上から見下ろした平面図である。本明細書で詳述する実施形態において、巻き取りと蛇腹折りは、折り畳み操作として同義であり、図１〜図１６では、巻き取りによる折り畳み操作を例にとって説明する。
【００２２】
車両用サイドエアバッグモジュール１のサイドエアバッグ２は、展開膨張される前、巻き取られた収納状態で、車両に備えられるシート３のシートバック３ａに内蔵して設けられる。シート３には、乗員Ｐが着座する。シート３の左右車幅方向両側には、乗員Ｐの車幅方向側方に位置させて、すなわち乗員Ｐの側部に面して、例えばドア４（車外側）や車両の車幅方向中央側のコンソールボックス５（車内側）などの車両部材が配置されている。
【００２３】
サイドエアバッグ２は従来周知のように、側突などにより車両に衝撃が加わると、乗員Ｐと乗員Ｐの車幅方向側方のドア４やコンソールボックス５等の車両部材との間へ、シートバック３ａからシート３側方に、さらにはシート３側方を通ってシート３前方（車両前方）に向かって、すなわち車両前後長さ方向（以下、車両前後方向という）前方に展開膨張可能に設けられる。
【００２４】
収納状態のサイドエアバッグ２の展開膨張は、サイドエアバッグ２の内部に収容されたインフレータ６から噴出されるインフレータガスがサイドエアバッグ２内部に充満されることによって達成される。サイドエアバッグ２は通常、乗員Ｐの腰部から頭部を越える高さ範囲で展開膨張され、ファーサイドエアバッグとして機能される場合、シート３に着座している乗員Ｐの車幅方向へ向かう移動を規制して、車両側方からの衝突時に、同乗者やコンソールボックス５等の車両部材と干渉することを防ぎ、これによって乗員Ｐを保護し、乗員Ｐに加わる傷害値を低減するようになっている。ニアサイドエアバッグとして機能される場合には、車両側方からの衝突に対して、車室内側に進入してくるドア４等の車両部材からシート３に着座している乗員Ｐを保護し、乗員Ｐに加わる傷害値を低減するようになっている。
【００２５】
シートバック３ａ内部には、乗員Ｐの身体などがもたれかかるのを受け止めて支持するシートフレーム７が設けられている。シートフレーム７は、ドア４等の車両部材側に面する平面部分を有し、本実施形態では、この平面部分は、インフレータ６を取り付けたり、展開膨張するサイドエアバッグ２を支持したりするための支持面７ａを構成する。
【００２６】
インフレータ６の一側面には、シートバック３ａ内部のシートフレーム７の支持面７ａにナット９で固定されるスタッドボルト８が一体的に設けられる。インフレータ６は、スタットボルト８がシートフレーム７に固定されることにより、シートバック３ａ内部に配設される。インフレータ２はまた、上述したようにサイドエアバッグ２内部に収容される。
【００２７】
次に、本実施形態に係る車両用サイドエアバッグモジュール１の製造方法を、図２〜図１１に示した組立手順に沿って説明する。図２は、図１に展開膨張状態を示した車両用サイドエアバッグモジュールの組立手順の第１段階を説明する説明図、図３は、組立手順の第２段階を説明する説明図、図４は、組立手順の第３段階（畳み工程）を説明する説明図、図５は、組立手順の第４段階（巻き取り工程）を説明する説明図であって、図５（ａ）は、巻き取り中心を、巻き取り始めの基準として示している説明図、図５（ｂ）は、巻き取り中心が移動する場合を示している説明図、図６は、組立手順の第４段階によって作成される車両用サイドエアバッグモジュールのロール部分を示す正面図、図７は、図６中、Ａ−Ａ線矢視断面図、図８は、組立手順の第５段階（反転折り返し工程）を説明する説明図、図９は、組立手順の第５段階によって得られる車両用サイドエアバッグモジュールの外形形態を示す正面図、図１０は、図９中、Ｂ−Ｂ線矢視断面図、図１１は、組立手順の第５段階後の畳み操作を説明する説明図である。
【００２８】
以下に述べる実施の形態において、サイドエアバッグモジュール１とは、インフレータ６を収容したサイドエアバッグ２が巻き取られて、シート３に内蔵される収納状態とされたユニットをいう。
【００２９】
図２に示すように、サイドエアバッグ２は従来周知のように、二枚の基布を重ね合わせたり、一枚の基布を折り返して重ね合わせるなどした後、周縁を縫製などで接合することにより、開口部分２ａを有する袋状に形成される。図示されるサイドエアバッグ２では、開口部分２ａは、当該サイドエアバッグ２が展開膨張したときに車両前後方向後端部となる位置に、車両後方側へ迫り出して形成される。
【００３０】
サイドエアバッグ２内部には、車両前後方向後方側に、仕切り部で仕切ってリアチャンバ１８が形成される。リアチャンバ１８に代えて、リアチャンバ１８と同様な位置に位置させて、インナーバッグをサイドエアバッグ２内部に収納して設けても良い。以下、リアチャンバ１８を例示して説明する。
【００３１】
インフレータ６は、サイドエアバッグ２の開口部分２ａからリアチャンバ１８内部に収容され、サイドエアバッグ２の車両前後方向後方側に配置される。従って、本実施形態のサイドエアバッグ２では、リアチャンバ１８内部の、車両前後方向後方側の領域がインフレータ６を収容するインフレータ収容領域Ｑとして形成される。インフレータ６のスタッドボルト８は、インフレータ収容領域Ｑに形成されるボルト孔から、サイドエアバッグ２外方へ突出される。なお、１０はハーネスである。
【００３２】
リアチャンバ１８の、車両上下方向上方には、インフレータ６からのインフレータガスをリアチャンバ１８からサイドエアバッグ２内に導入するベントホール１９が設けられる。
【００３３】
本実施形態では、サイドエアバッグ２の外形形態は、車両前後方向の長さ寸法に比して、車両上下方向に大きな高さ寸法で形成される。また、サイドエアバッグ２は全体的に、インフレータ収容領域Ｑから、車両前後方向前方へ向かって、斜め上方へ指向する形態で形成されている。
【００３４】
言い換えると、サイドエアバッグ２は、インフレータ収容領域Ｑよりも高さが高い部分が、車両前後方向前方側で斜め上方へ向けて迫り上がるように形成されている。サイドエアバッグ２をこのような形態とすると、側突等が生じた際、車両前方かつ車幅方向側方へ向かって移動し得る乗員Ｐの腰部から頭部に渡る範囲を、サイドエアバッグ２全体で受け止めて拘束し保護することが可能となる。
【００３５】
次に、図３に示すように、サイドエアバッグ２の開口部分２ａは、インフレータ収容領域Ｑに重なるように、車両前後方向前方側に向けて折り返される。開口部分２ａには、サイドエアバッグ２から突出されるスタッドボルト８を通す通し孔１１が形成される（図２参照）。従って、開口部分２ａは、サイドエアバッグ２の車両前後方向後方側のインフレータ収容領域Ｑに重ね合わされる。
【００３６】
次に、図４に示すように、サイドエアバッグ２に対して、畳み工程を行う。畳み工程では、サイドエアバッグ２を折る折り線Ｆが設定され、この折り線Ｆよりも上方の上部領域Ｒが、折り線Ｆよりも下方の下部領域Ｓに重ねて畳まれて、インフレータ収容領域Ｑを除く、ロール巻き領域（折り畳み領域）Ｔが設定される。
【００３７】
折り線Ｆは、インフレータ収容領域Ｑを避ける位置、具体的には、上下高さ方向でインフレータ収容領域Ｑよりも高い位置に設定される。さらに詳細には、折り線Ｆは、リアチャンバ１８に形成されるベントホール１９の、車両上下方向上方に設けられる。これにより、折り線Ｆは、インフレータ収容領域Ｑに干渉しないものとされる。折り線Ｆは、サイドエアバッグ２を車両後方から車両前方へ横断する横向きに設定される。すなわち、折り線Ｆは基本的に、サイドエアバッグ２を上下方向に畳むものとして設定される。
【００３８】
折り線Ｆは横向きであれば、図示するように、車両後方から前方に向かって斜め上向きの傾斜で設定しても、あるいは、斜め下向きの傾斜で設定しても良い。折り線Ｆによって上部領域Ｒを下部領域Ｓに重ねて畳むことで、インフレータ収容領域Ｑよりも車両前後方向前方に、インフレータ収容領域Ｑを除いて、ロール巻き領域Ｔが設定される。図示例では、上部領域Ｒが下部領域Ｓに対して重ね折りされる場合が示されている。
【００３９】
次に、図５〜図７に示すように、サイドエアバッグ２に対して、巻き取り工程（折り畳み工程）を行う。図５（ａ）には、サイドエアバッグ２の巻き取り工程実施前の外形形態が示され、図６には、巻き取り工程実施後の外形形態が示され、図７には、巻き取り後の断面が示されている。巻き取り工程では、巻き取り（折り畳み）を行うための、少なくとも一箇所の巻き取り中心（折り畳み中心）Ｕが設定され、この巻き取り中心Ｕを、巻き取り始め（折り畳み始め）の基準として、ロール巻き領域Ｔの巻き取りによるロール巻きが行われ、ロール部分（折り畳み部分）１２が形成される。
【００４０】
巻き取り中心Ｕは、折り線Ｆ上のいずれかの位置に設定される。図２〜図４を参照することで理解されるように、折り線Ｆは、サイドエアバッグ２を重ねて畳む機能を有することから、畳み工程前の展開状態に広げられたサイドエアバッグ２におけるバッグ面２ｂ上に存在し、従って、折り線Ｆ上に位置される巻き取り中心Ｕも、折り線Ｆと同様に、畳み工程前の展開状態に広げられたサイドエアバッグ２におけるバッグ面２ｂ上に位置される。
【００４１】
また、折り線Ｆは、ロール巻き領域Ｔの上縁を画定するので、巻き取り中心Ｕは、ロール巻き領域Ｔの上縁に位置される。以上の構成から、巻き取り中心Ｕは、サイドエアバッグ２の外形輪郭よりも内方の、サイドエアバッグ２のバッグ面２ｂ上に設定され、巻き取られるサイドエアバッグ２の外形寸法、特に折り線Ｆを跨る方向の外形寸法は、展開状態に広げられたサイドエアバッグ２本来の外形寸法よりも小さい。
【００４２】
ロール巻き領域Ｔの巻き取り（折り畳み領域の折り畳み）は、ロール巻き領域Ｔの上縁に位置する巻き取り中心Ｕ側を上方とし、この巻き取り中心Ｕから放射状に末広がりに広がるサイドエアバッグ２の外縁側を下方として、従来周知のように錐体形状に行われる。
【００４３】
また、巻き取りは、折り線Ｆ側を始端として、終端となるインフレータ収容領域Ｑ側に向かって行われる。巻き取りの向きは、右巻きであっても左巻きであっても良い。巻き取り工程で形成されるロール部分１２は図６及び図７に示すように、インフレータ収容領域Ｑに収容されたインフレータ６と隣り合うように配置される。
【００４４】
実際に巻き取っていく過程では、基布の厚さなどの影響により、折り線Ｆ上に設定された巻き取り中心Ｕが移動することがある。本発明は、巻き取り中心Ｕが折り線Ｆ上から、このように移動してしまう場合も含むものである。具体的には、ロール部分１２を形成する巻き取り工程の実施中に、巻き取り中心Ｕが図５（ｂ）に示すように、 畳み工程前の展開状態に広げられたサイドエアバッグ２における上部領域Ｒのバッグ面２ｂ上に移動することがある。従って、本発明では、巻き取り中心Ｕが、上部領域Ｒを下部領域Ｓに重ねて畳む前に上部領域Ｒが存在していた領域ＲＺに設定される場合をも含むものである。
【００４５】
次に、図８〜図１０に示すように、サイドエアバッグ２に対して、反転折り返し工程を行う。図８には、サイドエアバッグ２に対する反転折り返し工程の途中の様子が断面で示され、図９には、反転折り返し工程実施後のサイドエアバッグ２及びその周辺の外形形態が示され、図１０には、反転折り返し後の断面が示されている。
【００４６】
反転折り返し工程では、図６及び図７に示したロール部分１２が、その断面が半分になるように図８に示すように折られ（図中、矢印Ｖで示す）、折られたロール部分１２がインフレータ６の側方に寄り添うように、ロール巻き領域Ｔの巻き取り方向と逆方向（ロール巻き方向と逆方向）に反転して折り返される。この反転折り返しにより、車両用サイドエアバッグモジュール１の外径寸法が、半減されて、小さく狭められる。
【００４７】
図１１（ａ）〜（ｅ）には、反転折り返し工程後の畳み操作が順次示されている。図１１（ｅ）は、図１１（ｄ）に示した車両用サイドエアバッグモジュール１の外形形態を、９０°向きを変えて示したもので、スタッドボルト８が表されている。
【００４８】
図１１（ａ）では、インフレータ収納領域Ｑで、インフレータ６位置よりも車両前後方向後方に迫り出している開口部分２ａの折り返し箇所１３（図９参照）が、ロール部分１２とは反対側へ、車両前後方向前方に向かって、インフレータ６と重なり合う配置となるように折られ（図中、矢印ａで示す）、この折り返しは、後述する挟み込み部分１４として機能される。
【００４９】
図１１（ｂ）では、インフレータ６位置よりも上方に突出している上向き突出部分１５（図１１（ａ）参照）が、ロール部分１２側に向かって下向きに折られる。図１１（ｃ）では、ロール部分１２の末広がりの下方部分１２ａ（図１１（ｂ）参照）が、車両前後方向前方に面する斜めの折り線ｂで車両後方へ折られ、インフレータ６位置の下方で、挟み込み部分１４に挟むように折り込まれる。
【００５０】
図１１（ｄ）及び（ｅ）では、インフレータ６位置よりも下方に突出している下向き突出部分１５（図１１（ｃ）参照）が、ロール部分１２とは反対側に向かって上向きに折られる。そして、この状態で、車両用サイドエアバッグモジュール１のインフレータ位置６よりも上方部分及び下方部分に、上下一対で結束バンド１６が掛け回され、当該結束バンド１６を締め付けることにより、インフレータ６を収容して収納状態とされ、シート３に内蔵される車両用サイドエアバッグモジュール１が完成される。
【００５１】
インフレータ６は、巻き取られた収納状態のサイドエアバッグ２を解除可能に結束する結束バンド１６の取り付け前であれば、いつでもサイドエアバッグ２内に収容してよく、上述したようにサイドエアバッグ２を畳む前に予め、あるいは、その後であっても開口部分２ａを挟み込み部分１４として折り返す前であれば、いずれの段階でインフレータ収納領域Ｑに収容してもよい。
【００５２】
本実施形態に係る車両用サイドエアバッグモジュール１の製造方法及び車両用サイドエアバッグ装置にあっては、サイドエアバッグ２に、車両前後方向後方側に位置させてインフレータ６を収容するインフレータ収容領域Ｑを形成し、インフレータ収容領域Ｑを除いて、サイドエアバッグ２を車両後方から車両前方へ向かう横向きの折り線Ｆによって、折り線Ｆよりも上方の上部領域Ｒを折り線Ｆよりも下方の下部領域Ｓに重ねて畳んで、ロール巻き領域Ｔを設定する畳み工程と、畳み工程前の展開状態に広げられたサイドエアバッグ２におけるバッグ面２ｂ上であって、かつロール巻き領域Ｔの上縁となる折り線Ｆ上に設定される、単一の巻き取り中心Ｕを、巻き取り始めの基準として、ロール巻き領域Ｔをインフレータ収容領域Ｑに向かって巻き取って、ロール部分１２を形成する巻き取り工程とを備えたので、巻き取り中心Ｕは、畳み工程前の展開状態に広げられたサイドエアバッグ２におけるバッグ面２ｂ上に設定され、従って、巻き取られるサイドエアバッグ２の外形寸法、特に折り線Ｆを跨る方向の外形寸法は、展開状態に広げられた本来のサイドエアバッグ２の外形寸法よりも小さくなる。
【００５３】
これにより、インフレータ６を収容するインフレータ収容領域Ｑを有し、巻き取ることで収納状態に畳まれるサイドエアバッグ２の収納寸法を、長さが短くかつ巻き取りの径寸法も小さくすることができる。
【００５４】
また、反転折り返し工程により、巻き取ったサイドエアバッグ２をさらにコンパクトに畳んだ状態とすることができる。
【００５５】
以上説明したように、本実施形態に係る車両用サイドエアバッグモジュール１の製造方法及び車両用サイドエアバッグ装置によれば、広い面積で展開膨張させたいサイドエアバッグ２の収納状態を、適切にコンパクト化することができる。
【００５６】
また、サイドエアバッグ２に、更に、インフレータ収容領域Ｑを有するリアチャンバ１８を備え、リアチャンバ１８の車両上下方向上方に、インフレータ６からのインフレータガスをリアチャンバ１８からサイドエアバッグ２内に導入するベントホール１９を設けるようにしている。サイドエアバッグ２は、インフレータガスが導入される反動で上下方向に揺れ動くが、この上下方向の揺れは、乗員拘束時には乗員Ｐの肩部分などが素早く拘束されることから、拘束性能上、問題とはならない。他方、ベントホールが車両前後方向前方に設けられると、サイドエアバッグ２は、前後方向に揺れ動くことになる。この前後方向の揺れは、最もクリティカルな乗員拘束開始時に、乗員Ｐの肩部や頭部の位置にサイドエアバッグ２が到達することを妨げる要因になってしまうおそれがある。加えて、ベントホール１９をリアチャンバ１８の車両上下方向上方に設けると、折り線Ｆから折り畳まれた部分を、速やかに展開させることができる。このように、ベントホール１９をリアチャンバ１８の車両上下方向上方に設けると、優れた作用効果を確保することができる。
【００５７】
図１２〜図１４は、図７，図８及び図１０に示した反転折り返し工程に代わる変形例を示すもので、図１２には、図７と同じに、サイドエアバッグ２の巻き取り後の断面が示され（図６中、Ａ−Ａ線矢視断面図参照）、図１３には、図８に対応して、サイドエアバッグ２に対する折り返し工程の途中の様子が断面で示され、図１４には、図１０に対応して、折り返し後の断面が示されている（図９中、Ｂ−Ｂ線矢視断面図参照）。
【００５８】
上記実施形態では、ロール部分１２を、インフレータ収容領域Ｑに対し、ロール巻き領域Ｔの巻き取り方向と逆方向に反転して折り返す反転折り返し工程を採用する場合について説明したが、ロール部分１２が、その断面が半分になるように図１３に示すように折られ（矢印Ｖ参照）、折られたロール部分１２がインフレータ６の側方に寄り添うように、ロール巻き領域Ｔの巻き取り方向と同方向（ロール巻きと同方向）に折り返す折り返し工程を採用しても良い。
【００５９】
この折り返しにより、反転折り返しと同様に、車両用サイドエアバッグモジュール１の外径寸法が、半減されて、小さく狭められる。このような変形例にあっても上記実施形態と同様の作用効果を奏する。なお、折り返し工程よりも、反転折り返し工程の方が、折り返しのゆとりを取り易いので、高い製造性を確保することができる。
【００６０】
図１５及び図１６には、上部領域Ｒを下部領域Ｓに重ねて畳む畳み工程の変形例が示されている。図１５は、サイドエアバッグ２に対して、畳み工程を行う図４に対応する図であり、図１６は、図１５中、Ｃ方向矢視図である。
【００６１】
この変形例では、リアチャンバ１８には、車両上下方向上方に設けられる上記ベントホール１９に加えて、車両前後方向前方に配置して追加のベントホール２０を設けるようにしている。本明細書のすべての実施形態において、このように２つのベントホール１９，２０を備えるようにしてもよいことはもちろんである。
【００６２】
上記実施形態では、上部領域Ｒを下部領域Ｓに対して重ね折りする場合について説明したが、変形例では、上部領域Ｒを下部領域Ｓに対して袋折り（タックイン）するようにしている。袋折り（タックイン）する当該変形例であっても、上記実施形態と同様の作用効果を奏することはもちろんである。
【００６３】
図１７には、ロール巻きに代えて、蛇腹折りして折り畳むようにした変形例が示されている。図１７（ａ）は、上記実施形態の図７に対応する断面図、図１７（ｂ）は、追加の折り畳み工程を行った後の断面図、図１７（ｃ）は、他の追加の折り畳み工程を行った後の断面図である。
【００６４】
図１７に示す変形例では、畳み工程で、蛇腹折りする（折り畳む）ための蛇腹領域（折り畳み領域）Ｊが設定され、蛇腹折り工程（折り畳み工程）では、蛇腹領域Ｊが文字通り、蛇腹折りされて（折り畳まれて）、図１７（ａ）に示すように、蛇腹部分（折り畳み部分）１７が形成される。
【００６５】
次いで、蛇腹部分１７全体に対し、車両前後方向寸法を半分の寸法にするための追加の折り畳み工程が行われる。図１７（ｂ）に示した第１の追加の折り畳み工程では、図中、蛇腹部分１７（車両前後方向寸法はＫ）の車両前後方向中央を上方から下方へ向けて谷折りし（図中、矢印Ｍで示す）、さらにインフレータ６側へ横並びに折り込むことにより、インフレータ６から遠方の折り重ね部分が、インフレータ６に近接する折り重ね部分の上に重ね合わされて（図中、○の位置で示す）、蛇腹部分１７の車両前後方向寸法が半減される（車両前後方向寸法はＫ／２）ようになっている。
【００６６】
図１７（ｃ）に示した第２の追加の折り畳み工程では、図中、蛇腹部分１７の車両前後方向中央を下方から上方へ向けて山折りし（図中、矢印Ｎで示す）、山折りで生じる谷部Ｚをインフレータ６に向けてインフレータ６側へ横並びに折り込むことにより、インフレータ６から遠方の折り重ね部分が、インフレータ６に近接する折り重ね部分の下に重ね合わされて（図中、○の位置で示す）、蛇腹部分１７の車両前後方向寸法が半減されるようになっている。
【００６７】
このような変形例であっても、上記実施形態と同様の作用効果を奏することはもちろんである。
【００６８】
以上説明した本実施形態に係る車両用サイドエアバッグモジュールの製造方法によって作成される車両用サイドエアバッグモジュール１は、乗員Ｐが着座するシート３の左右車幅方向両側のいずれに対しても、好ましく適用することができる。
【００６９】
以上説明した本実施形態に係る車両用サイドエアバッグモジュールの製造方法及び車両用サイドエアバッグ装置は、車両部材としてのドア等が乗員を保護する強度を有している、通常一般の車両を例示して説明している。しかしながら、本発明に係る車両用サイドエアバッグモジュールの製造方法及び車両用サイドエアバッグ装置は、ドアが無かったり、あるいは、ドアがあっても強度がそれほど強くない、超小型モビールに対しても採用できることはもちろんである。
【００７０】
以上に述べた車両用サイドエアバッグモジュール１の製造方法及び車両用サイドエアバッグ装置は、本発明の好ましい例であって、これ以外の実施形態例も、各種の方法で実施または遂行できる。特に、本願明細書中に限定される主旨の記載がない限り、この発明は、添付図面に示した詳細な部品の形状、大きさおよび構成配置等に制約されるものではない。また、本願明細書中に用いられた表現および用語は、説明を目的としたもので、特に限定される主旨の記載がない限り、それに限定されるものではない。
【符号の説明】
【００７１】
１  車両用サイドエアバッグモジュール
２  サイドエアバッグ
２ｂ  サイドエアバッグのバッグ面
３  シート
３ａ  シートバック
６  インフレータ
１２  ロール部分
１７  蛇腹部分
１８  リアチャンバ
１９  ベントホール
Ｆ  折り線
Ｊ  蛇腹領域
Ｐ  乗員
Ｑ  インフレータ収容領域
Ｒ  上部領域
Ｓ  下部領域
Ｔ  ロール巻き領域
Ｕ  巻き取り中心
【図１】
2016035746.tif 000003
【図２】
2016035746.tif 000004
【図３】
2016035746.tif 000005
【図４】
2016035746.tif 000006
【図５】
2016035746.tif 000007
【図６】
2016035746.tif 000008
【図７】
2016035746.tif 000009
【図８】
2016035746.tif 000010
【図９】
2016035746.tif 000011
【図１０】
2016035746.tif 000012
【図１１】
2016035746.tif 000013
【図１２】
2016035746.tif 000014
【図１３】
2016035746.tif 000015
【図１４】
2016035746.tif 000016
【図１５】
2016035746.tif 000017
【図１６】
2016035746.tif 000018
【図１７】
2016035746.tif 000019
【手続補正書】
【提出日】平成29年2月15日(2017.2.15)
【手続補正１】
【補正対象書類名】特許請求の範囲
【補正対象項目名】請求項１
【補正方法】変更
【補正の内容】
【請求項１】
内部に収容されたインフレータから噴出されるインフレータガスでシートバックからシートの側方を通って車両前方に向かって展開膨張するサイドエアバッグを有する車両用サイドエアバッグモジュールの製造方法であって、
上記サイドエアバッグには、車両前後方向後方側に上記インフレータを収容するインフレータ収容領域が形成され、
上記サイドエアバッグが展開状態に広げられた畳む前の当該サイドエアバッグのバッグ面上に存在して車両後方から車両前方へ横断する折り線によって、該折り線よりも上方の上部領域を、該折り線よりも下方の下部領域に重ねて畳んで、該サイドエアバッグに、上方が先細り下方が末広がりの錐体形状に折り畳むための折り畳み領域を設定する畳み工程と、
該畳み工程前の展開状態に広げられた上記サイドエアバッグの外形輪郭よりも内方の、上記バッグ面上に位置されかつ上記折り畳み領域の上縁となる上記折り線上に設定される、少なくとも一箇所の折り畳み中心を、折り畳み始めの基準として、該折り畳み領域を上記インフレータ収容領域に向かって折り畳んで、折り畳み部分を形成する折り畳み工程とを含むことを特徴とする車両用サイドエアバッグモジュールの製造方法。
【手続補正２】
【補正対象書類名】特許請求の範囲
【補正対象項目名】請求項２
【補正方法】変更
【補正の内容】
【請求項２】
前記折り畳み工程の実施中に、前記折り畳み中心が、前記畳み工程で前記上部領域を前記下部領域に重ねて畳む前に該上部領域が存在していた領域に移動することを特徴とする請求項１に記載の車両用サイドエアバッグモジュールの製造方法。
【手続補正３】
【補正対象書類名】明細書
【補正対象項目名】００１０
【補正方法】変更
【補正の内容】
【００１０】
本発明にかかる車両用サイドエアバッグモジュールの製造方法は、内部に収容されたインフレータから噴出されるインフレータガスでシートバックからシートの側方を通って車両前方に向かって展開膨張するサイドエアバッグを有する車両用サイドエアバッグモジュールの製造方法であって、上記サイドエアバッグには、車両前後方向後方側に上記インフレータを収容するインフレータ収容領域が形成され、上記サイドエアバッグが展開状態に広げられた畳む前の当該サイドエアバッグのバッグ面上に存在して車両後方から車両前方へ横断する折り線によって、該折り線よりも上方の上部領域を、該折り線よりも下方の下部領域に重ねて畳んで、該サイドエアバッグに、上方が先細り下方が末広がりの錐体形状に折り畳むための折り畳み領域を設定する畳み工程と、該畳み工程前の展開状態に広げられた上記サイドエアバッグの外形輪郭よりも内方の、上記バッグ面上に位置されかつ上記折り畳み領域の上縁となる上記折り線上に設定される、少なくとも一箇所の折り畳み中心を、折り畳み始めの基準として、該折り畳み領域を上記インフレータ収容領域に向かって折り畳んで、折り畳み部分を形成する折り畳み工程とを含むことを特徴とする。
【手続補正４】
【補正対象書類名】明細書
【補正対象項目名】００１１
【補正方法】変更
【補正の内容】
【００１１】
前記折り畳み工程の実施中に、前記折り畳み中心が、前記畳み工程で前記上部領域を前記下部領域に重ねて畳む前に該上部領域が存在していた領域に移動することを特徴とする。
【国際調査報告】
2016035746.tif 000020
2016035746.tif 000021
2016035746.tif 000022
2016035746.tif 000023